(57)【要約】【課題】装置内の温度が上昇／下降した場合であっても、結像レンズの大幅な変位を阻止してピントのずれを抑制し、好適な画像を得ることが可能な画像読取装置を提供する。【解決手段】画像読取装置１は、原稿面に向かって照射、反射された光を、内部に結像レンズを設けたレンズ鏡筒４０を通して撮像素子であるＣＣＤ３２に入射させ、ＣＣＤ３２により原稿画像を読取る。レンズ鏡筒４０は、取り付け台３１に載置され、上下方向保持部材５０により上方から下方に付勢されながら、また光軸方向保持部材６０により光軸方向に付勢されながら取り付け台３１上に保持されている。これにより、装置内温度の上昇／下降に起因し、レンズ鏡筒４０や取り付け台３１が変形しても、これらの部材の間に隙間が生じることはなく、がたつきを防止することができ、結像レンズの大幅な変位を阻止することが可能である。【選択図】図４
2007300256.tif 000002
【特許請求の範囲】
【請求項１】
原稿面に向かって照射、反射された光を、結像レンズを通して撮像素子に入射させ、この撮像素子により前記原稿の画像を読取る画像読取装置において、
前記結像レンズを内部に設けたレンズ鏡筒と、このレンズ鏡筒が載置される取り付け台と、前記レンズ鏡筒を上方から下方に付勢しながら前記取り付け台上に保持する上下方向保持部材と、レンズ鏡筒を光軸方向に付勢しながら取り付け台上に保持する光軸方向保持部材とを備えることを特徴とする画像読取装置。
【請求項２】
前記取り付け台は係合孔を備え、前記上下方向保持部材は板状部材であるとともに、中間箇所で前記レンズ鏡筒を保持したその両端部に、取り付け台の前記係合孔に係合する係止部を備えることを特徴とする請求項１に記載の画像読取装置。
【請求項３】
前記上下方向保持部材はその光軸方向長さが前記レンズ鏡筒の光軸方向長さより短く、光軸方向と直角をなす方向に延びる帯形状の板状部材であるとともに、レンズ鏡筒は上下方向保持部材を受け入れる凹部を備えることを特徴とする請求項１または請求項２に記載の画像読取装置。
【請求項４】
前記上下方向保持部材は、前記レンズ鏡筒との当接箇所の光軸方向上流側及び下流側に、光軸方向に延び、レンズ鏡筒から離れるように湾曲した突出部を備えることを特徴とする請求項３に記載の画像読取装置。
【請求項５】
前記取り付け台は前記レンズ鏡筒が載置される開口部を備え、前記光軸方向保持部材は前記開口部に載置されたレンズ鏡筒を光軸方向下流側に向かって付勢するようにレンズ鏡筒の光軸方向上流側に備えられることを特徴とする請求項１〜請求項４のいずれか１項に記載の画像読取装置。
【請求項６】
前記レンズ鏡筒は、合成樹脂材料で構成されていることを特徴とする請求項１〜請求項５のいずれか１項に記載の画像読取装置。
【発明の詳細な説明】
【技術分野】
【０００１】
本発明は、複写機やイメージスキャナ等に用いられる画像読取装置に関する。
【背景技術】
【０００２】
複写機やイメージスキャナ等に用いられる画像読取装置は、一般的に、原稿台に載置された原稿に光を照射し、この反射光を受けて原稿面の画像情報を読取るものである。原稿台は、透明ガラスで構成され、装置本体の上部に設けられている。原稿台の下方の装置本体内部には、原稿面に向かって光を照射する光源や、その反射光を所定の方向に導くためのミラー、結像レンズ、撮像素子であるＣＣＤ（Ｃｈａｒｇｅ  Ｃｏｕｐｌｅｄ  Ｄｅｖｉｃｅ）等が設けられている。
【０００３】
上記のような画像読取装置のピント調整は、原稿面に載置された所定のパターン画像を読取ることによってなされる。このパターンに向かって照射し、反射された光を、結像レンズを通して撮像素子であるＣＣＤに入射させ、良好なピントが得られるように結像レンズやＣＣＤを光軸方向に移動して結像位置を変更し、ピントを調整する。
【０００４】
結像レンズやＣＣＤは、一般的に、ピント調整をしつつ取り付け台に保持、固定され、この取り付け台を介して画像読取装置本体に設けられていることが多い。そのような画像読取装置の結像レンズ、及びＣＣＤ取り付け構造の例を、特許文献１〜４に見ることができる。
【０００５】
特許文献１〜３に記載された画像読取装置（画像読取ユニット）では、取り付け台に載置された結像レンズ（レンズ鏡筒）に対して、その上方から、光軸方向と直角をなす方向に延びる押さえ板を掛け渡すようにしてネジ止めされ、結像レンズ（レンズ鏡筒）が取り付け台に固定されている。特許文献４に記載された画像読取ユニットでは、レンズ鏡筒と取り付け台（ベース部材）との間が、中間保持部材を介して接着剤で固定されている。
【特許文献１】特開２００６−８６９８４号公報（第５頁、図１）
【特許文献２】特開平１１−１７９０７号公報（第３頁、図１）
【特許文献３】特開平６−３５６９号公報（第３頁、図１）
【特許文献４】特開２００５−３７５５０号公報（６頁、図２）
【発明の開示】
【発明が解決しようとする課題】
【０００６】
ここで、画像読取装置のピント調整は、製品出荷前の組み立て時に、結像レンズやＣＣＤが設けられた箇所を開放して行われる。そして、このピント調整は、ＣＣＤの焦点合わせのための位置調整時に同時に行われる。しかしながら、製品出荷時には、結像レンズやＣＣＤが設けられた箇所はフレームや原稿台の透明ガラス等で閉め切られるので、画像読取装置を長時間運転すると、装置内の温度上昇が激しくなる恐れがある。
【０００７】
これにより、特許文献１〜４に記載された画像読取装置（画像読取ユニット）のように、レンズ鏡筒が押さえ板や中間保持部材で取り付け台に固定されていると、これらの部材が熱の影響を大きく受けて膨張したり、さらに装置が運転停止後に冷却されて収縮したりする恐れがある。このような膨張と収縮を繰り返すと、レンズ鏡筒と押さえ板との間に隙間ができたり、ネジが緩んだりすることによりがたつきが生じたり、接着剤が剥がれて中間保持部材が外れてしまったりする可能性がある。したがって、製品組み立て時に調整したピントが、運転時に大幅にずれてしまうといった問題が発生する。
【０００８】
そして、レンズ鏡筒が熱の影響を受け易い合成樹脂材料で構成されている場合、上記のような問題はさらに顕著になる。また、レンズ鏡筒が合成樹脂材料で構成されていると、膨張と収縮の繰り返しで、押さえ板等との接触によりレンズ鏡筒が変形、破損する恐れもある。
【０００９】
本発明は上記の点に鑑みなされたものであり、結像レンズ、及び撮像素子を用いて原稿画像を読取る画像読取装置において、装置内の温度が上昇／下降した場合であっても、結像レンズの大幅な変位を阻止してピントのずれを抑制し、好適な画像を得ることが可能な画像読取装置を提供することを目的とする。
【課題を解決するための手段】
【００１０】
上記の課題を解決するため、本発明は、原稿面に向かって照射、反射された光を、結像レンズを通して撮像素子に入射させ、この撮像素子により前記原稿の画像を読取る画像読取装置において、前記結像レンズを内部に設けたレンズ鏡筒と、このレンズ鏡筒が載置される取り付け台と、前記レンズ鏡筒を上方から下方に付勢しながら前記取り付け台上に保持する上下方向保持部材と、レンズ鏡筒を光軸方向に付勢しながら取り付け台上に保持する光軸方向保持部材とを備えることとした。
【００１１】
また、上記構成の画像読取装置において、前記取り付け台は係合孔を備え、前記上下方向保持部材は板状部材であるとともに、中間箇所で前記レンズ鏡筒を保持したその両端部に、取り付け台の前記係合孔に係合する係止部を備えることとした。
【００１２】
また、上記構成の画像読取装置において、前記上下方向保持部材はその光軸方向長さが前記レンズ鏡筒の光軸方向長さより短く、光軸方向と直角をなす方向に延びる帯形状の板状部材であるとともに、レンズ鏡筒は上下方向保持部材を受け入れる凹部を備えることとした。
【００１３】
また、上記構成の画像読取装置において、前記上下方向保持部材は、前記レンズ鏡筒との当接箇所の光軸方向上流側及び下流側に、光軸方向に延び、レンズ鏡筒から離れるように湾曲した突出部を備えることとした。
【００１４】
また、上記構成の画像読取装置において、前記取り付け台は前記レンズ鏡筒が載置される開口部を備え、前記光軸方向保持部材は前記開口部に載置されたレンズ鏡筒を光軸方向下流側に向かって付勢するようにレンズ鏡筒の光軸方向上流側に備えられることとした。
【００１５】
また、上記構成の画像読取装置において、前記レンズ鏡筒は、合成樹脂材料で構成されていることとした。
【発明の効果】
【００１６】
本発明の構成によれば、結像レンズ、及び撮像素子を用いて原稿画像を読取る画像読取装置において、結像レンズを内部に設けたレンズ鏡筒と、このレンズ鏡筒が載置される取り付け台と、レンズ鏡筒を上方から下方に付勢しながら取り付け台上に保持する上下方向保持部材と、レンズ鏡筒を光軸方向に付勢しながら取り付け台上に保持する光軸方向保持部材とを備えることとしたので、レンズ鏡筒や取り付け台が変形しても、これらの部材の間に隙間が生じることはなく、がたつきを防止することができる。これにより、装置内温度の上昇／下降に起因して、レンズ鏡筒や取り付け台が膨張したり、収縮したりしても、結像レンズの大幅な変位を阻止することが可能である。したがって、製品出荷前の組み立て時に調整されたピントのずれが抑制され、好適な画像を得ることが可能な画像読取装置を提供することができる。
【００１７】
また、取り付け台は係合孔を備え、上下方向保持部材は板状部材であるとともに、中間箇所でレンズ鏡筒を保持したその両端部に、取り付け台の係合孔に係合する係止部を備えることとしたので、上下方向において、容易にレンズ鏡筒を取り付け台に保持させることができる。したがって、装置内の温度が上昇／下降した場合であっても、結像レンズの大幅な変位を阻止してピントのずれを抑制できる構成を、簡便な構成によって得ることが可能である。
【００１８】
また、上下方向保持部材はその光軸方向長さがレンズ鏡筒の光軸方向長さより短く、光軸方向と直角をなす方向に延びる帯形状の板状部材であるとともに、レンズ鏡筒は上下方向保持部材を受け入れる凹部を備えることとしたので、上下方向保持部材により、上下方向に加えて、光軸方向に対しても精度よくレンズ鏡筒を保持することが可能である。これにより、結像レンズの大幅な変位を阻止する作用を高めることができる。
【００１９】
また、上下方向保持部材は、レンズ鏡筒との当接箇所の光軸方向上流側及び下流側に、光軸方向に延び、レンズ鏡筒から離れるように湾曲した突出部を備えることとしたので、レンズ鏡筒や取り付け台が大きく変形した場合であっても、上下方向保持部材との接触によるレンズ鏡筒の変形、破損を防止して、レンズ鏡筒をしっかりと保持することができる。したがって、結像レンズの大幅な変位を阻止する作用を、一層向上させることが可能である。
【００２０】
また、取り付け台はレンズ鏡筒が載置される開口部を備え、光軸方向保持部材は開口部に載置されたレンズ鏡筒を光軸方向下流側に向かって付勢するようにレンズ鏡筒の光軸方向上流側に備えられることとしたので、開口部の下流端にレンズ鏡筒を押し付けることにより、光軸方向において、レンズ鏡筒を容易に位置決めしつつ取り付け台に保持させることができる。したがって、装置内の温度が上昇／下降した場合であっても、結像レンズの大幅な変位を阻止してピントのずれを抑制できる構成を、簡便な構成によって得ることが可能である。
【００２１】
また、レンズ鏡筒は、合成樹脂材料で構成されていることとしたので、熱の影響を受け易い構成ではあるものの、本発明により、装置内の温度が上昇／下降した場合であっても、結像レンズの大幅な変位を阻止してピントのずれを抑制することができる。したがって、低コスト化が図られた、好適な画像を得ることが可能な画像読取装置を提供することができる。
【発明を実施するための最良の形態】
【００２２】
以下、本発明の実施形態を図１〜図７に基づき説明する。
【００２３】
最初に、本発明の実施形態に係る画像読取装置について、図１を用いてその構造の概略を説明する。図１は、画像読取装置の模型的垂直断面正面図である。なお、本発明の実施形態に係る画像読取装置は、画像形成装置である複写機、または複写機やファクシミリ等の機能を備えた複合機の上部に搭載された画像読取装置として設計されたものとする。
【００２４】
図１に示すように、画像読取装置１は、画像形成装置である複写機、または複合機の上部に搭載されている。画像読取装置１の本体２は、外装カバー３と内部フレーム４とで構成されている。そして、画像読取装置１は、本体２の上面に原稿台５を備えている。原稿台５は透明ガラスで構成され、この透明ガラス表面に、原稿が、読取面（原稿面）が下になるように載置される。
【００２５】
原稿台５の下方であって、本体２の内部フレーム４の内側には、原稿面に向かって光を照射するための光学系構成要素が設けられている。この光学系構成要素としては、第１光学系ユニット１０、第２光学系ユニット２０、及び撮像ユニット３０を備えている。
【００２６】
第１光学系ユニット１０は、光源１１と、第１ミラー１２とを備えている。光源１１は、原稿面に向かって光を照射するものである。第１ミラー１２は、光源１１から原稿面に向かって照射され、原稿面で反射した反射光を受けて、さらに９０度の角度で方向転換させるものである。これら光源１１と、第１ミラー１２とは、図示しない第１光学系支持部材に固定されている。
【００２７】
第２光学系ユニット２０は、第２ミラー２１と、第３ミラー２２とを備えている。第２ミラー２１は、第１光学系ユニット１０の第１ミラー１２が反射させた光を受けて、さらに９０度の角度で方向転換させるものである。第３ミラー２２は、第２ミラー２１が反射させた光を受けて、さらに９０度の角度で方向転換させるものである。これら第２ミラー２１と、第３ミラー２２とは、図示しない第２光学系支持部材に固定されている。
【００２８】
撮像ユニット３０は、取り付け台３１の上部に、結像レンズ（図示せず）を内部に設けたレンズ鏡筒４０と、撮像素子であるＣＣＤ３２とを備えている。第２光学系ユニット２０の第３ミラー２２によって反射された、原稿面からの反射光は、レンズ鏡筒４０に入射する。そして、レンズ鏡筒４０の結像レンズは、光路の下流側に設けられたＣＣＤ３２の表面上に、反射光を結像する。このようにして、ＣＣＤ３２により、原稿画像を読取ることができる。
【００２９】
ここで、上記構成の画像読取装置１において、撮像ユニット３０は本体２の内部フレーム４に固定されているが、第１光学系ユニット１０、及び第２光学系ユニット２０は原稿面全体の画像情報を読取るべく原稿面と平行に往復移動できるようになっている。このため内部フレーム４の内側には、図１において左右方向に延びる移動用のレール（図示せず）が設けられている。そして、第１光学系ユニット１０、及び第２光学系ユニット２０は、そのレールに沿って移動し、原稿面全体の画像情報を読取ることが可能である。
【００３０】
続いて、画像読取装置１の撮像ユニット３０の構成について、図２、及び図３を用いて説明する。図２は撮像ユニットの斜視図、図３は撮像ユニットの垂直断面部分正面図である。図中の矢印は、原稿面からの反射光の入射方向（光軸方向）を示している。
【００３１】
図２に示すように、撮像ユニット３０は、そのベースとなる取り付け台３１を備えている。取り付け台３１は、その下部に、本体２の内部フレーム４（図１参照）との係合部３３を備えている。係合部３３は、取り付け台３１の正面側、背面側、及び光軸方向上流側の三箇所に設けられている。取り付け台３１には、複数の丸穴３１ａが設けられている。これらの丸穴３１ａは、撮像ユニット３０を内部フレーム４に取り付ける時の、位置、及び角度調整の際に用いられる。複数の丸穴３１ａのうちいずれかを選択して内部フレーム４に設けられたピン（図示せず）に係合させることにより、光軸方向の位置、及び光軸の角度を調整する。
【００３２】
取り付け台３１の上面には、レンズ鏡筒４０が載置されている。レンズ鏡筒４０は、合成樹脂材料で構成されているとともに、その内部に結像レンズ（図示せず）を備えている。そして、レンズ鏡筒４０は、原稿面からの反射光を受け入れ、光路の下流側に設けられたＣＣＤ３２に導く形で取り付けられている（図３参照）。
【００３３】
取り付け台３１の上面に載置されたレンズ鏡筒４０に対して、その光路の下流側には、図３に示すように、ＣＣＤ３２が備えられている。ＣＣＤ３２は、制御基板３４に固定されている。レンズ鏡筒４０と、ＣＣＤ３２との間には光路の周囲をぐるりと覆うカバー部材３５が設けられている。
【００３４】
次に、撮像ユニット３０のレンズ鏡筒４０部分の詳細な構成について、図２、及び図３に加えて、図４〜図７を用いて説明する。図４は撮像ユニットのレンズ鏡筒部分の拡大斜視図、図５はレンズ鏡筒の凹部の垂直断面部分拡大正面図、図６はレンズ鏡筒の上下方向保持部材の斜視図、図７はレンズ鏡筒の光軸方向保持部材の斜視図である。
【００３５】
図２に示すように、撮像ユニット３０の取り付け台３１は、レンズ鏡筒４０の載置箇所に開口部３６を備えている。この開口部３６は、光軸方向に関してはレンズ鏡筒４０を受け入れるに十分な大きさをなし、光軸方向と直角をなす方向に関してはレンズ鏡筒４０の大きさよりやや小さい。したがって、開口部３６にレンズ鏡筒４０を載置すると、レンズ鏡筒４０を下方に落下させることなく支持することができる。
【００３６】
このように取り付け台３１に載置されたレンズ鏡筒４０に対して、図２〜図４に示すように、上下方向保持部材５０と、光軸方向保持部材６０とが設けられている。
【００３７】
上下方向保持部材５０は、図４、及び図６に示すように、その光軸方向長さがレンズ鏡筒４０の光軸方向長さより短く、光軸方向と直角をなす方向に延びる帯形状の板状部材である。また、上下方向保持部材５０は、弾性を有する材料で構成され、門形に折り曲げられている。帯形状に延びる上下方向保持部材５０の両端部には、取り付け台３１と係合する係止部５１が備えられている。また、上下方向保持部材５０の中間箇所には、光軸方向上流側及び下流側において、上方に離れるように湾曲した突出部５２が備えられている。
【００３８】
図３〜図５に示すように、上下方向保持部材５０は、鏡筒レンズ４０に設けられた凹部４１に受け入れられる形で取り付けられている。凹部４１は、レンズ鏡筒４０の光軸方向略中央部に設けられ、周方向に延びている。図２、及び図４に示すように、上下方向保持部材５０は、光軸方向と直角をなす方向に、レンズ鏡筒４０の上方から掛け渡すようにして設けられている。そして、上下方向保持部材５０は、その中間箇所においてレンズ鏡筒４０に当接し、鏡筒レンズ４０の凹部４１の光軸方向上流側及び下流側のエッジに、レンズ鏡筒４０から離れるように湾曲した突出部５２が引っ掛かるようになっている（図５参照）。
【００３９】
図２に示すように、取り付け台３１の開口部３６の正面側及び背面側であって、上下方向保持部材５０に対応する箇所には、二箇所の係合孔３７が設けられている。レンズ鏡筒４０を保持しながら、上下方向保持部材５０を取り付け台３１に取り付ける場合、門形になった上下方向保持部材５０の両端部を互いが離れるようにして弾性変形させ、両端部の係止部５１を、取り付け台３１の係合孔３７に引っ掛けるようにして取り付ける。このようにして、上下方向保持部材５０は、レンズ鏡筒４０を上方から下方に付勢しながら、取り付け台３１に保持している。
【００４０】
一方、光軸方向保持部材６０は、図４、及び図７に示すように、弾性を有する板状部材で構成され、取り付け台３１に固定するための取り付け部６１と、くの字形に折り曲げられた付勢部６２とを備えている。
【００４１】
図２に示すように、光軸方向保持部材６０は、レンズ鏡筒４０の光軸方向上流側に備えられている。光軸方向保持部材６０は、鏡筒レンズ４０が載置された取り付け台３１の開口部３６の、光軸方向上流側にできた隙間に、くの字形の付勢部６２を収めるようにして、取り付け部６１にて取り付け台３１に固定されている。そして、図３、及び図４に示すように、光軸方向保持部材６０の付勢部６２は、レンズ鏡筒４０上流側端部のエッジの箇所に当接し、レンズ鏡筒４０を光軸方向下流側に付勢している。このようにして、光軸方向保持部材６０、レンズ鏡筒４０を光軸方向に付勢しながら、取り付け台３１に保持している。
【００４２】
上記のようにして、結像レンズ、及び撮像素子であるＣＣＤ３２を用いて原稿画像を読取る画像読取装置１において、結像レンズを内部に設けたレンズ鏡筒４０と、このレンズ鏡筒４０が載置される取り付け台３１と、レンズ鏡筒４０を上方から下方に付勢しながら取り付け台３１上に保持する上下方向保持部材５０と、レンズ鏡筒４０を光軸方向に付勢しながら取り付け台３１上に保持する光軸方向保持部材６０とを備えているので、レンズ鏡筒４０や取り付け台３１が変形しても、これらの部材の間に隙間が生じることはなく、がたつきを防止することができる。これにより、装置内温度の上昇／下降に起因して、レンズ鏡筒４０や取り付け台３１が膨張したり、収縮したりしても、結像レンズの大幅な変位を阻止することが可能である。したがって、製品出荷前の組み立て時に調整されたピントのずれが抑制され、好適な画像を得ることが可能な画像読取装置１を提供することができる。
【００４３】
また、取り付け台３１は係合孔３７を備え、上下方向保持部材５０は板状部材であるとともに、中間箇所でレンズ鏡筒４０を保持したその両端部に、取り付け台３１の係合孔３７に係合する係止部５１を備えているので、上下方向において、容易にレンズ鏡筒４０を取り付け台３１に保持させることができる。したがって、装置内の温度が上昇／下降した場合であっても、結像レンズの大幅な変位を阻止してピントのずれを抑制できる構成を、簡便な構成によって得ることが可能である。
【００４４】
また、上下方向保持部材５０はその光軸方向長さがレンズ鏡筒４０の光軸方向長さより短く、光軸方向と直角をなす方向に延びる帯形状の板状部材であるとともに、レンズ鏡筒４０は上下方向保持部材５０を受け入れる凹部４１を備えているので、上下方向保持部材５０により、上下方向に加えて、光軸方向に対しても精度よくレンズ鏡筒４０を保持することが可能である。これにより、結像レンズの大幅な変位を阻止する作用を高めることができる。
【００４５】
そして、上下方向保持部材５０は、レンズ鏡筒４０との当接箇所の光軸方向上流側及び下流側に、光軸方向に延び、レンズ鏡筒４０から離れるように湾曲した突出部５２を備えているので、レンズ鏡筒４０や取り付け台が大きく変形した場合であっても、上下方向保持部材５０との接触によるレンズ鏡筒４０の変形、破損を防止して、レンズ鏡筒４０をしっかりと保持することができる。したがって、結像レンズの大幅な変位を阻止する作用を、一層向上させることが可能である。
【００４６】
さらに、取り付け台３１はレンズ鏡筒４０が載置される開口部３６を備え、光軸方向保持部材６０は開口部３６に載置されたレンズ鏡筒４０を光軸方向下流側に向かって付勢するようにレンズ鏡筒４０の光軸方向上流側に備えられているので、開口部３６の下流端にレンズ鏡筒４０を押し付けることにより、光軸方向において、レンズ鏡筒４０を容易に位置決めしつつ取り付け台３１に保持させることができる。したがって、装置内の温度が上昇／下降した場合であっても、結像レンズの大幅な変位を阻止してピントのずれを抑制できる構成を、簡便な構成によって得ることが可能である。
【００４７】
また、レンズ鏡筒４０は、合成樹脂材料で構成されているので、熱の影響を受け易い構成ではあるものの、本発明により、装置内の温度が上昇／下降した場合であっても、結像レンズの大幅な変位を阻止してピントのずれを抑制することができる。したがって、低コスト化が図られた、好適な画像を得ることが可能な画像読取装置１を提供することができる。
【００４８】
以上、本発明の実施形態につき説明したが、本発明の範囲はこれに限定されるものではなく、発明の主旨を逸脱しない範囲で種々の変更を加えて実施することができる。
【産業上の利用可能性】
【００４９】
本発明は、レンズ鏡筒を用いた画像読取装置全般において利用可能である。
【図面の簡単な説明】
【００５０】
【図１】本発明の実施形態に係る画像読取装置の模型的垂直断面正面図である。
【図２】図１に示す画像読取装置の撮像ユニットの斜視図である。
【図３】図２に示す撮像ユニットの垂直断面部分正面図である。
【図４】図２に示す撮像ユニットのレンズ鏡筒部分の拡大斜視図である。
【図５】図３に示すレンズ鏡筒の凹部の垂直断面部分拡大正面図である。
【図６】図４に示すレンズ鏡筒の上下方向保持部材の斜視図である。
【図７】図４に示すレンズ鏡筒の光軸方向保持部材の斜視図である。
【符号の説明】
【００５１】
１    画像読取装置
２    本体
４    内部フレーム
１０  第１光学系ユニット
２０  第２光学系ユニット
３０  撮像ユニット
３１  取り付け台
３２  ＣＣＤ（撮像素子）
３６  開口部
３７  係合孔
４０  レンズ鏡筒
４１  凹部
５０  上下方向保持部材
５１  係止部
５２  突出部
６０  光軸方向保持部材
６１  取り付け部
６２  付勢部
【図１】
2007300256.tif 000003
【図２】
2007300256.tif 000004
【図３】
2007300256.tif 000005
【図４】
2007300256.tif 000006
【図５】
2007300256.tif 000007
【図６】
2007300256.tif 000008
【図７】
2007300256.tif 000009